(57)【特許請求の範囲】
【請求項１】
静止コンタクト（２１、２２）と、
可動コンタクト（１０）と、
消弧デバイスと、を備え、
前記可動コンタクト（１０）は、前記可動コンタクト（１０）が前記静止コンタクト（２１、２２）に電気的に接触するスイッチオン位置と前記可動コンタクト（１０）が前記静止コンタクト（２１、２２）から分離されるスイッチオフ位置との間で可動であり、
前記消弧デバイスは、
消弧部材（３１０、３２０）と、
前記消弧部材（３１０、３２０）を駆動して動かすように構成された駆動機構と、を備え、
前記可動コンタクト（１０）が前記スイッチオン位置へ動かされたとき、前記消弧部材（３１０、３２０）は、前記可動コンタクト（１０）と前記静止コンタクト（２１、２２）との間の接触領域を越えて動かされて、前記可動コンタクト（１０）が前記静止コンタクト（２１、２２）に電気的に接触することが可能になり、
前記可動コンタクト（１０）が前記スイッチオフ位置へ動かされたとき、前記消弧部材（３１０、３２０）が、前記可動コンタクト（１０）と前記静止コンタクト（２１、２２）との間の前記接触領域内へ動かされて、前記可動コンタクト（１０）が前記静止コンタクト（２１、２２）から電気的に分離され、前記可動コンタクト（１０）と前記静止コンタクト（２１、２２）との間の電気アークを遮断し、
前記静止コンタクト（２１、２２）は、第１の静止コンタクト（２１）および第２の静止コンタクト（２２）を備え、前記可動コンタクト（１０）は、前記第１の静止コンタクト（２１）および前記第２の静止コンタクト（２２）に同時に電気的に接触するように構成され、
前記消弧部材（３１０、３２０）は、第１の消弧部材（３１０）および第２の消弧部材（３２０）を備え、前記駆動機構は、前記第１の消弧部材（３１０）および前記第２の消弧部材（３２０）を同時に駆動して動かすように構成され、
前記駆動機構は、
１対の支持板（１００）であって、前記支持板の各々（１００）が、第１の摺動スロット（１１０）および第２の摺動スロット（１２０）を有するように形成されている１対の支持板（１００）と、
１対の第１の押し棒（２１０）であって、前記第１の押し棒の各々（２１０）の一方の端部が、対応する前記支持板（１００）に回転可能に取り付けられ、前記第１の押し棒の各々（２１０）の他方の端部が、第３の摺動スロット（２１１）を有するように形成されている１対の第１の押し棒（２１０）と、
１対の第２の押し棒（２２０）であって、前記第２の押し棒の各々（２２０）の一方の端部が、対応する前記支持板（１００）に回転可能に取り付けられ、前記第２の押し棒の各々（２２０）の他方の端部が、第４の摺動スロット（２２１）を有するように形成されている１対の第２の押し棒（２２０）と、
前記第１の消弧部材（３１０）内の２つの貫通孔（３１１）内へそれぞれ挿入された１対の第１の連結シャフト（４１０）と、
前記第２の消弧部材（３２０）内の２つの貫通孔（３２１）内へそれぞれ挿入された１対の第２の連結シャフト（４２０）と、を備え、
前記１対の第１の連結シャフト（４１０）の各々の２つの端部は、前記１対の支持板（１００）の前記第１の摺動スロット（１１０）内にそれぞれ受け取られ、前記１対の第１の連結シャフト（４１０）のうち外側に位置する第１の連結シャフト（４１０）の２つの端部は、前記１対の第１の押し棒（２１０）の前記第３の摺動スロット（２１１）内にそれぞれ受け取られ、
前記１対の第２の連結シャフト（４２０）の各々の２つの端部は、前記１対の支持板（１００）の前記第２の摺動スロット（１２０）内にそれぞれ受け取られ、前記１対の第２の連結シャフト（４２０）のうち外側に位置する第２の連結シャフト（４２０）の２つの端部は、前記１対の第２の押し棒（２２０）の前記第４の摺動スロット（２２１）内にそれぞれ受け取られる、
電気コンタクトシステム。
【請求項２】
前記可動コンタクト（１０）が前記スイッチオン位置へ動かされたとき、前記第１の消弧部材（３１０）は、前記可動コンタクト（１０）と前記第１の静止コンタクト（２１）との間の前記接触領域を越えて動かされて、前記可動コンタクト（１０）が前記第１の静止コンタクト（２１）に電気的に接触することを可能にし、
前記可動コンタクト（１０）が前記スイッチオン位置へ動かされたとき、前記第２の消弧部材（３２０）は、前記可動コンタクト（１０）と前記第２の静止コンタクト（２２）との間の前記接触領域を越えて動かされて、前記可動コンタクト（１０）が前記第２の静止コンタクト（２２）に電気的に接触することを可能にする、
請求項１に記載の電気コンタクトシステム。
【請求項３】
前記可動コンタクト（１０）が前記スイッチオフ位置へ動かされたとき、前記第１の消弧部材（３１０）は、前記可動コンタクト（１０）と前記第１の静止コンタクト（２１）との間の前記接触領域内へ動かされて、前記可動コンタクト（１０）が前記第１の静止コンタクト（２１）から電気的に分離され、前記可動コンタクト（１０）と前記第１の静止コンタクト（２１）との間の前記電気アークを遮断し、
前記可動コンタクト（１０）が前記スイッチオフ位置へ動かされたとき、前記第２の消弧部材（３２０）は、前記可動コンタクト（１０）と前記第２の静止コンタクト（２２）との間の前記接触領域内へ動かされて、前記可動コンタクト（１０）が前記第２の静止コンタクト（２２）から電気的に分離され、前記可動コンタクト（１０）と前記第２の静止コンタクト（２２）との間の前記電気アークを遮断する、
請求項１に記載の電気コンタクトシステム。
【請求項４】
前記１対の第１の押し棒（２１０）が、その端部周りで回転されたとき、前記１対の第１の押し棒（２１０）は、前記第１の消弧部材（３１０）を駆動して、前記第１の消弧部材（３１０）が前記可動コンタクト（１０）と前記第１の静止コンタクト（２１）との間の前記接触領域内に位置する消弧位置から、前記第１の消弧部材（３１０）が前記可動コンタクト（１０）と前記第１の静止コンタクト（２１）との間の前記接触領域を越えて位置する非消弧位置へ動かし、
前記１対の第２の押し棒（２２０）が、その端部周りで回転されたとき、前記１対の第２の押し棒（２２０）は、前記第２の消弧部材（３２０）を駆動して、前記第２の消弧部材（３２０）が前記可動コンタクト（１０）と前記第２の静止コンタクト（２２）との間の前記接触領域内に位置する消弧位置から、前記第２の消弧部材（３２０）が前記可動コンタクト（１０）と前記第２の静止コンタクト（２２）との間の前記接触領域を越えて位置する非消弧位置へ動かす、
請求項１に記載の電気コンタクトシステム。
【請求項５】
前記駆動機構は、
１対の第１の戻しばね（５１０）であって、前記第１の戻しばねの各々（５１０）の一方の端部が、対応する前記支持板（１００）に接続され、前記第１の戻しばねの各々（５１０）の他方の端部が、前記１対の第１の連結シャフト（４１０）のうち外側に位置する第１の連結シャフト（４１０）の端部に接続され、前記第１の消弧部材（３１０）を前記非消弧位置から前記消弧位置へ動かす１対の第１の戻しばね（５１０）と、
１対の第２の戻しばね（５２０）であって、前記第２の戻しばねの各々（５２０）の一方の端部が、対応する前記支持板（１００）に接続され、前記第２の戻しばねの各々（５２０）の他方の端部が、前記１対の第２の連結シャフト（４２０）のうち外側に位置する第２の連結シャフト（４２０）の端部に接続され、前記第２の消弧部材（３２０）を前記非消弧位置から前記消弧位置へ動かす１対の第２の戻しばね（５２０）と、をさらに備える、請求項４に記載の電気コンタクトシステム。
【請求項６】
前記第１の摺動スロット（１１０）および前記第２の摺動スロット（１２０）はどちらも、それぞれ弧状経路に沿って延び、
前記１対の第１の連結シャフト（４１０）は、前記第１の摺動スロット（１１０）によって画定された前記弧状経路に沿って摺動可能であり、前記１対の第２の連結シャフト（４２０）は、前記第２の摺動スロット（１２０）によって画定された前記弧状経路に沿って摺動可能である、
請求項１に記載の電気コンタクトシステム。
【請求項７】
前記第３の摺動スロット（２１１）および前記第４の摺動スロット（２２１）はどちらも、まっすぐに延び、
前記１対の第１の連結シャフト（４１０）のうち外側に位置する第１の連結シャフト（４１０）は、前記第３の摺動スロット（２１１）に沿って摺動可能であり、前記１対の第２の連結シャフト（４２０）のうち外側に位置する第２の連結シャフト（４２０）は、前記第４の摺動スロット（２２１）に沿って摺動可能である、
請求項６に記載の電気コンタクトシステム。
【請求項８】
前記１対の第１の押し棒（２１０）の前記端部は、第１の連節シャフト（１）を介して前記１対の支持板（１００）にそれぞれ旋回可能に接続され、
前記１対の第２の押し棒（２２０）の前記端部は、第２の連節シャフト（２）を介して前記１対の支持板（１００）にそれぞれ旋回可能に接続されている、
請求項１に記載の電気コンタクトシステム。
【発明の詳細な説明】
【技術分野】
【０００１】
関連出願の相互参照
本出願は、開示全体が参照により本明細書に組み込まれている、２０１７年６月１日に中国国家知識産権局に出願された「Ｅｌｅｃｔｒｉｃａｌ  Ｃｏｎｔａｃｔ  Ｓｙｓｔｅｍ（電気コンタクトシステム）」という名称の中国特許出願第２０１７１０４０３４７３．Ｘ号の利益を主張する。
【０００２】
本開示の少なくとも１つの実施形態は、電気コンタクトシステムに関し、詳細には、消弧デバイスを有する電気コンタクトシステムに関する。
【背景技術】
【０００３】
電気スイッチデバイスおよび制御器具内の電気コンタクトは、オンからオフまたはオフからオンへの切換え中に電気アークを放電および生成することがある。電気アークの生成は、電気回路の接続および切断を遅延させ、さらには電気コンタクトを焼損させることがあり、その結果、電気コンタクトの溶融および溶着が生じることがある。深刻な場合、電気コンタクトを有する電気スイッチデバイスの発火および爆発を引き起こすこともある。したがって、効率的で確実な消弧作用を実現するように消弧デバイスを設計することが必要とされている。
【０００４】
関連技術では、高圧直流リレーなどの電気スイッチデバイスは通常、封止された膨張性の磁界を使用して金属相の電気アークを横方向に長くし、したがって消弧媒体中で電気アークを迅速に冷却してイオンを除去することができる。そのような方法には良好な消弧作用があるが、その製造プロセスは複雑であり、したがってコストが高くなる。別の種類の消弧デバイスは、磁気吹きによって電気アークを金属格子板に吹き付けるように構成されており、電気アークは、金属格子板によっていくつかの区分の短い電気アークに切断され、それによりこれらの短い電気アーク区分間の間隙の初期絶縁耐力を強化する。加えて、金属格子板は、冷却作用および表面消イオン作用を改善する。しかし、この消弧デバイスの消弧速度は理想的ではない。
別の種類の消弧デバイスは、磁気吹きによって電気アークを金属格子板に吹き付けるように構成されており、電気アークは、金属格子板によっていくつかの区分の短い電気アークに切断され、それによりこれらの短い電気アーク区分間の間隙の初期絶縁耐力を強化する。加えて、金属格子板は、冷却作用および表面消イオン作用を改善する。しかし、この消弧デバイスの消弧速度は理想的ではない。
【発明の概要】
【発明が解決しようとする課題】
【０００５】
本開示は、上述した欠点の少なくとも１つの側面を克服または軽減するためになされたものである。
【０００６】
本開示の一目的によれば、アークを確実に消滅させることが可能な電気コンタクトシステムが提供される。
【課題を解決するための手段】
【０００７】
本開示の一態様によれば、静止コンタクトと、可動コンタクトが静止コンタクトに電気的に接触するスイッチオン位置と可動コンタクトが静止コンタクトから分離されるスイッチオフ位置との間で可動の可動コンタクトと、消弧デバイスとを含む、電気コンタクトシステムが提供される。消弧デバイスは、消弧部材と、消弧部材を駆動して動かすように構成された駆動機構とを含む。可動コンタクトがスイッチオン位置へ動かされたとき、消弧部材は、可動コンタクトと静止コンタクトとの間の接触領域を越えて動かされて、可動コンタクトが静止コンタクトに電気的に接触することを可能にし、可動コンタクトがスイッチオフ位置へ動かされたとき、消弧部材は、可動コンタクトと静止コンタクトとの間の接触領域内へ動かされて、可動コンタクトが静止コンタクトから電気的に分離され、可動コンタクトと静止コンタクトとの間の電気アークを遮断する。
【０００８】
本開示の例示的な実施形態によれば、静止コンタクトは、第１の静止コンタクトおよび第２の静止コンタクトを含み、可動コンタクトは、第１の静止コンタクトおよび第２の静止コンタクトに同時に電気的に接触するように構成されている。
【０００９】
本開示の別の例示的な実施形態によれば、消弧部材は、第１の消弧部材および第２の消弧部材を含み、駆動機構は、第１の消弧部材および第２の消弧部材を同時に駆動して動かすように構成されている。
【００１０】
本開示の別の例示的な実施形態によれば、可動コンタクトがスイッチオン位置へ動かされたとき、第１の消弧部材は、可動コンタクトと第１の静止コンタクトとの間の接触領域を越えて動かされて、可動コンタクトが第１の静止コンタクトに電気的に接触することを可能にし、可動コンタクトがスイッチオン位置へ動かされたとき、第２の消弧部材は、可動コンタクトと第２の静止コンタクトとの間の接触領域を越えて動かされて、可動コンタクトが第２の静止コンタクトに電気的に接触することを可能にする。
【００１１】
本開示の別の例示的な実施形態によれば、可動コンタクトがスイッチオフ位置へ動かされたとき、第１の消弧部材は、可動コンタクトと第１の静止コンタクトとの間の接触領域内へ動かされて、可動コンタクトが第１の静止コンタクトから電気的に分離され、可動コンタクトと第１の静止コンタクトとの間の電気アークを遮断し、可動コンタクトがスイッチオフ位置へ動かされたとき、第２の消弧部材は、可動コンタクトと第２の静止コンタクトとの間の接触領域内へ動かされて、可動コンタクトが第２の静止コンタクトから電気的に分離され、可動コンタクトと第２の静止コンタクトとの間の電気アークを遮断する。
【００１２】
本開示の別の例示的な実施形態によれば、駆動機構は、１対の支持板であって、これらの支持板の各々が、第１の摺動スロットおよび第２の摺動スロットを有するように形成されている１対の支持板と、１対の第１の押し棒であって、第１の押し棒の各々の一方の端部が、対応する支持板に回転可能に取り付けられ、第１の押し棒の各々の他方の端部が、第３の摺動スロットを有するように形成されている１対の第１の押し棒と、１対の第２の押し棒であって、第２の押し棒の各々の一方の端部が、対応する支持板に回転可能に取り付けられ、第２の押し棒の各々の他方の端部が、第４の摺動スロットを有するようにそれぞれ形成されている１対の第２の押し棒と、第１の消弧部材内の２つの貫通孔内へそれぞれ挿入された１対の第１の連結シャフトと、第２の消弧部材内の２つの貫通孔内へそれぞれ挿入された１対の第２の連結シャフトとを含む。
１対の第１の連結シャフトの各々の２つの端部が、１対の支持板の第１の摺動スロット内にそれぞれ受け取られ、１対の第１の連結シャフトのうち外側に位置する第１の連結シャフトの２つの端部が、１対の第１の押し棒の第３の摺動スロット内にそれぞれ受け取られる。１対の第２の連結シャフトの各々の２つの端部が、１対の支持板の第２の摺動スロット内にそれぞれ受け取られ、１対の第２の連結シャフトのうち外側に位置する第２の連結シャフトの２つの端部が、１対の第２の押し棒の第４の摺動スロット内にそれぞれ受け取られる。
【００１３】
本開示の別の例示的な実施形態によれば、１対の第１の押し棒が、その一方の端部周りで回転されたとき、１対の第１の押し棒は第１の消弧部材を、第１の消弧部材が可動コンタクトと第１の静止コンタクトとの間の接触領域内に位置する消弧位置から、第１の消弧部材が可動コンタクトと第１の静止コンタクトとの間の接触領域を越えて位置する非消弧位置へ動かす。１対の第２の押し棒が、その端部周りで回転されたとき、１対の第２の押し棒は第２の消弧部材を、第２の消弧部材が可動コンタクトと第２の静止コンタクトとの間の接触領域内に位置する消弧位置から、第２の消弧部材が可動コンタクトと第２の静止コンタクトとの間の接触領域を越えて位置する非消弧位置へ動かす。
【００１４】
本開示の別の例示的な実施形態によれば、駆動機構は、１対の第１の戻しばねであって、第１の戻しばねの各々の一方の端部が、対応する支持板に接続され、第１の戻しばねの各々の他方の端部が、第１の連結シャフトのうち外側に位置する第１の連結シャフトの端部に接続され、第１の消弧部材を非消弧位置から消弧位置へ動かす１対の第１の戻しばねと、１対の第２の戻しばねであって、第２の戻しばねの各々の一方の端部が、対応する支持板に接続され、第２の戻しばねの各々の他方の端部が、１対の第２の連結シャフトのうち外側に位置する第２の連結シャフトの端部に接続され、第２の消弧部材を非消弧位置から消弧位置へ動かす１対の第２の戻しばねとをさらに含む。
【００１５】
本開示の別の例示的な実施形態によれば、第１の摺動スロットおよび第２の摺動スロットはどちらも、それぞれ弧状経路に沿って延びる。１対の第１の連結シャフトは、第１の摺動スロットによって画定された弧状経路に沿って摺動可能であり、１対の第２の連結シャフトは、第２の摺動スロットによって画定された弧状経路に沿って摺動可能である。
【００１６】
本開示の別の例示的な実施形態によれば、第３の摺動スロットおよび第４の摺動スロットはどちらも、直線に延びる。１対の第１の連結シャフトのうち外側に位置する第１の連結シャフトは、第３の摺動スロットに沿って摺動可能であり、１対の第２の連結シャフトのうち外側に位置する第２の連結シャフトは、第４の摺動スロットに沿って摺動可能である。
【００１７】
本開示の別の例示的な実施形態によれば、１対の第１の押し棒の端部は、第１の連節シャフトを介して１対の支持板にそれぞれ旋回可能に接続され、１対の第２の押し棒の端部は、第２の連節シャフトを介して１対の支持板にそれぞれ旋回可能に接続されている。
【００１８】
本開示の上述した例示的な実施形態では、消弧部材は、駆動機構によって駆動されて、可動接点と静止接点との間の接触領域内へ迅速に動くことができ、したがって可動接点と静止接点との間の電気アークを迅速に遮断して、効率的で確実な消弧作用を実現することができる。加えて、本開示では簡単な構造および低いコストが実現される。
【００１９】
本開示の上記その他の特徴は、本開示の例示的な実施形態について添付の図面を参照して詳細に説明することによってより明らかになる。
【図面の簡単な説明】
【００２０】
【図１】本開示の一実施形態による電気コンタクトシステムの分解斜視図である。
【図２】本開示の一実施形態による電気コンタクトシステムの組立て斜視図である。
【図３】可動コンタクトおよび静止コンタクトが除去された、本開示の一実施形態による電気コンタクトシステムの斜視図である。
【発明を実施するための形態】
【００２１】
以下、本開示の例示的な実施形態について、添付の図面を参照して詳細に説明する。添付の図面では、同じ参照番号が同様の要素を指す。しかし本開示は、多くの異なる形態で実施することができ、本明細書に記載の実施形態に限定されると解釈されるべきではなく、むしろこれらの実施形態は、本開示が徹底的かつ完全なものになるように提供されており、本開示の概念を当業者に十分に伝えるものである。
【００２２】
加えて、以下の詳細な説明では、説明の目的で、開示する実施形態の徹底的な理解を提供するために、多数の具体的な詳細について述べる。しかし、これらの具体的な詳細がなくても、１つまたは複数の実施形態を実施することができることは明らかである。他の場合、よく知られている手段およびデバイスは、図面を簡略化するために、図面では概略的に示されている。
【００２３】
本開示の技術的な一般概念によれば、静止コンタクトと、可動コンタクトが静止コンタクトに電気的に接触するスイッチオン位置と可動コンタクトが静止コンタクトから分離されるスイッチオフ位置との間で可動の可動コンタクトと、消弧デバイスとを含む、電気コンタクトシステムが提供され、消弧デバイスは、消弧部材と、消弧部材を駆動して動かすように構成された駆動機構とを含む。可動コンタクトがスイッチオン位置へ動かされたとき、消弧部材は、可動コンタクトと静止コンタクトとの間の接触領域を越えて動かされて、可動コンタクトが静止コンタクトに電気的に接触することが可能になり、可動コンタクトがスイッチオフ位置へ回転されたとき、消弧部材は、可動コンタクトと静止コンタクトとの間の接触領域内へ動かされて、可動コンタクトが静止コンタクトから電気的に分離され、可動コンタクトと静止コンタクトとの間の電気アークを遮断する。
【００２４】
図１は、本開示の一実施形態による電気コンタクトシステムの分解斜視図を示し、図２は、本開示の一実施形態による電気コンタクトシステムの組立て斜視図を示し、図３は、可動コンタクト１０および静止コンタクト２１、２２が除去された、本開示の一実施形態による電気コンタクトシステムの斜視図を示す。
【００２５】
図１、図２、および図３に示すように、図示の実施形態では、電気コンタクトシステムは主に、可動コンタクト１０と、静止コンタクト２１、２２と、消弧デバイスとを含む。可動コンタクト１０は、可動コンタクト１０が静止コンタクト２１、２２に電気的に接触するスイッチオン位置と、可動コンタクト１０が静止コンタクト２１、２２から分離されるスイッチオフ位置との間で可動になるように駆動される。消弧デバイスは、消弧部材３１０、３２０と、消弧部材３１０、３２０を駆動して消弧位置と非消弧位置との間で動かすように構成された駆動機構とを含む。
【００２６】
図１、図２、および図３に示すように、図示の実施形態では、可動コンタクト１０がスイッチオン位置へ動くように駆動されたとき、消弧部材３１０、３２０は、消弧部材３１０、３２０が可動コンタクト１０と静止コンタクト２１、２２との間の接触領域を越えて位置する非消弧位置へ動くように駆動され、可動コンタクト１０が静止コンタクト２１、２２に電気的に接触することを可能にする。
【００２７】
図１、図２、および図３に示すように、図示の実施形態では、可動コンタクト１０がスイッチオフ位置へ動くように駆動されたとき、消弧部材３１０、３２０は、消弧部材３１０、３２０が可動コンタクト１０と静止コンタクト２１、２２との間の接触領域内に位置する消弧位置へ動くように駆動される。次いで、可動コンタクト１０は、消弧部材３１０、３２０によって静止コンタクト２１、２２から電気的に分離され、可動コンタクト１０と静止コンタクト２１、２２との間の電気アークを遮断する。
【００２８】
図１、図２、および図３に示すように、図示の実施形態では、静止コンタクト２１、２２は、第１の静止コンタクト２１および第２の静止コンタクト２２を含む。可動コンタクト１０は、第１の静止コンタクト２１および第２の静止コンタクト２２に同時に電気的に接触するように構成される。すなわち、図示の電気コンタクトシステムは、２重コンタクトの電気コンタクトシステムとして構築される。
【００２９】
図１、図２、および図３に示すように、図示の実施形態では、消弧部材３１０、３２０は、第１の消弧部材３１０および第２の消弧部材３２０を含む。駆動機構は、第１の消弧部材３１０および第２の消弧部材３２０を同時に駆動して、消弧位置と非消弧位置との間で動かすように構成される。
【００３０】
図１、図２、および図３に示すように、図示の実施形態では、可動コンタクト１０がスイッチオン位置へ動かされたとき、第１の消弧部材３１０は、第１の消弧部材３１０が可動コンタクト１０と第１の静止コンタクト２１との間の接触領域を越えて位置する非消弧位置へ動くように駆動され、可動コンタクト１０が第１の静止コンタクト２１に電気的に接触することが可能になる。同様に、可動コンタクト１０がスイッチオン位置へ動かされたとき、第２の消弧部材３２０は、第２の消弧部材３２０が可動コンタクト１０と第２の静止コンタクト２２との間の接触領域を越えて位置する非消弧位置へ動くように駆動され、可動コンタクト１０が第２の静止コンタクト２２に電気的に接触することが可能になる。
【００３１】
図１、図２、および図３に示すように、図示の実施形態では、可動コンタクト１０がスイッチオフ位置へ回転されたとき、第１の消弧部材３１０は、第１の消弧部材３１０が可動コンタクト１０と第１の静止コンタクト２１との間の接触領域内に位置する消弧位置へ動くように駆動され、可動コンタクト１０は、第１の静止コンタクト２１から電気的に分離されて、可動コンタクト１０と第１の静止コンタクト２１との間の電気アークを遮断する。同様に、可動コンタクト１０がスイッチオフ位置へ回転されたとき、第２の消弧部材３２０は、第２の消弧部材３２０が可動コンタクト１０と第２の静止コンタクト２２との間の接触領域内に位置する消弧位置へ動かされ、可動コンタクト１０は、第２の静止コンタクト２２から電気的に分離されて、可動コンタクト１０と第２の静止コンタクト２２との間の電気アークを遮断する。
【００３２】
図１、図２、および図３に示すように、図示の実施形態では、駆動機構は主に、１対の支持板１００と、１対の第１の押し棒２１０と、１対の第２の押し棒２２０と、１対の第１の連結シャフト４１０と、１対の第２の連結シャフト４２０とを含む。
【００３３】
図１、図２、および図３に示すように、図示の実施形態では、第１の摺動スロット１１０および第２の摺動スロット１２０が、各支持板１００内に形成される。１対の第１の押し棒２１０の各々の一方の端部（図１の右端）が、対応する支持板１００に回転可能に取り付けられ、１対の第１の押し棒２１０の各々の他方の端部（図１の左端）が、第３の摺動スロット２１１を有するように形成される。１対の第２の押し棒２２０の各々の一方の端部（図１の左端）が、対応する支持板１００に回転可能に取り付けられ、１対の第２の押し棒２２０の各々の他方の端部（図１の右端）が、第４の摺動スロット２２１を有するように形成される。１対の第１の連結シャフト４１０は、第１の消弧部材３１０内の２つの貫通孔３１１内へそれぞれ挿入される。１対の第２の連結シャフト４２０は、第２の消弧部材３２０内の２つの貫通孔３２１内へそれぞれ挿入される。
【００３４】
図１、図２、および図３に示すように、図示の実施形態では、１対の第１の連結シャフト４１０の各々の２つの端部は、１対の支持板１００の第１の摺動スロット１１０内にそれぞれ受け取られ、１対の第１の連結シャフト４１０のうち外側に位置する第１の連結シャフト４１０の２つの端部は、１対の第１の押し棒２１０の第３の摺動スロット２１１内にそれぞれさらに受け取られる。１対の第２の連結シャフト４２０の各々の２つの端部は、１対の支持板１００の第２の摺動スロット１２０内にそれぞれ受け取られ、１対の第２の連結シャフト４２０のうち外側に位置する第２の連結シャフト４２０の２つの端部は、１対の第２の押し棒２２０の第４の摺動スロット２２１内にそれぞれさらに受け取られる。
【００３５】
図１、図２、および図３に示すように、図示の実施形態では、１対の第１の押し棒２１０が、外部押圧力（たとえば、磁気推力）の作用を受けて、その端部（図１の右端）周りで回転されたとき、１対の第１の押し棒２１０は、第１の消弧部材３１０を駆動して、第１の消弧部材３１０が可動コンタクト１０と第１の静止コンタクト２１との間の接触領域内に位置する消弧位置から、第１の消弧部材３１０が可動コンタクト１０と第１の静止コンタクト２１との間の接触領域を越えて位置する非消弧位置へ動かす。同様に、１対の第２の押し棒２２０が、外部押圧力（たとえば、磁気推力）の作用を受けて、その端部（図１の左端）周りで回転されたとき、１対の第２の押し棒２２０は、第２の消弧部材３２０を駆動して、第２の消弧部材３２０が可動コンタクト１０と第２の静止コンタクト２２との間の接触領域内に位置する消弧位置から、第２の消弧部材３２０が可動コンタクト１０と第２の静止コンタクト２２との間の接触領域を越えて位置する非消弧位置へ動かす。
【００３６】
図１、図２、および図３に示すように、図示の実施形態では、駆動機構は、１対の第１の戻しばね５１０および１対の第２の戻しばね５２０をさらに含む。１対の第１の戻しばね５１０の各々の一方の端部（図１の下端）は、対応する支持板１００に接続され、１対の第１の戻しばね５１０の各々の他方の端部（図１の上端）は、１対の第１の連結シャフト４１０のうち外側に位置する第１の連結シャフト４１０の端部に接続される。１対の第１の押し棒２１０に加えられた押圧力がなくなったとき、第１の消弧部材３１０は、１対の第１の戻しばね５１０の弾性復元力の作用を受けて、非消弧位置から消弧位置へ自動的に動かされる。
同様に、１対の第２の戻しばね５２０の各々の一方の端部（図１の下端）は、対応する支持板１００に接続され、１対の第２の戻しばね５２０の各々の他方の端部（図１の上端）は、１対の第２の連結シャフト４２０のうち外側に位置する第２の連結シャフト４２０の端部に接続される。１対の第２の押し棒２２０に加えられた押圧力がなくなったとき、第２の消弧部材３２０は、１対の第２の戻しばね５２０の弾性復元力の作用を受けて、非消弧位置から消弧位置へ自動的に動かされる。
【００３７】
図１、図２、および図３に示すように、図示の実施形態では、第１の摺動スロット１１０および第２の摺動スロット１２０はどちらも、それぞれ弧状経路に沿って延びる。１対の第１の連結シャフト４１０は、第１の摺動スロット１１０によって画定された弧状経路に沿って摺動可能であり、１対の第２の連結シャフト４２０は、第２の摺動スロット１２０によって画定された弧状経路に沿って摺動可能である。
【００３８】
図１、図２、および図３に示すように、図示の実施形態では、１対の第１の押し棒２１０内の第３の摺動スロット２１１および１対の第２の押し棒２２０内の第４の摺動スロット２２１はどちらも、まっすぐに延びる。１対の第１の連結シャフト４１０のうち外側に位置する第１の連結シャフト４１０は、１対の第１の押し棒２１０内の第３の摺動スロット２１１に沿って摺動可能であり、１対の第２の連結シャフト４２０のうち外側に位置する第２の連結シャフト４２０は、１対の第２の押し棒２２０内の第４の摺動スロット２２１に沿って摺動可能である。
【００３９】
図１、図２、および図３に示すように、図示の実施形態では、１対の第１の押し棒２１０の端部（図１の右端）は、第１の連節シャフト１を介して１対の支持板１００にそれぞれ旋回可能に接続される。１対の第２の押し棒２２０の端部（図１の左端）は、第２の連節シャフト２を介して１対の支持板１００にそれぞれ旋回可能に接続される。
【００４０】
本開示の上述した例示的な実施形態では、消弧部材は、押し棒によって駆動されて、消弧部材が可動接点と静止接点との間の接触領域内に位置する消弧位置へ迅速に動くことができ、したがって可動接点と静止接点との間の電気アークを迅速に遮断して、効率的で確実な消弧作用を実現することができる。加えて、本開示では簡単な構造および低いコストが実現される。
【００４１】
本開示の上述した実施形態では、全体的な電気コンタクトシステムの機構は非常に簡単であり、製造および組立てが容易であり、非常に信頼性が高い。さらに、全体的な電気コンタクトシステムのサイズを小型化することができ、全体的な電気コンタクトシステムが必要とする駆動エネルギーがより小さくなり、エネルギー消費がより低くなり、電気コンタクトシステムを有する電気回路の確実な接続および切断を実現することができる。
【００４２】
上述した実施形態はすべて例示であり、当業者であれば改善することができることが、当業者には理解されよう。様々な実施形態に記載した構造は、構造上または原理上矛盾することなく、自由に組み合わせることができる。
【００４３】
本開示について添付の図面を参照して説明したが、添付の図面に開示する実施形態は、本開示の好ましい実施形態を例示的に示すことを意図したものであり、本開示の限定であると解釈することはできない。
【００４４】
本発明の一般概念によるいくつかの実施形態について図示および説明したが、本発明の一般概念の原理および趣旨から逸脱することなく、これらの実施形態に修正を加えることができることが、当業者には理解されよう。本開示の範囲は、特許請求の範囲およびその均等物によって画定される。
【００４５】
「含む（ｉｎｃｌｕｄｉｎｇ）／備える（ｃｏｍｐｒｉｓｉｎｇ）」という表現は、他の要素またはステップを除外せず、「ａ」または「ａｎ」という表現は、複数形を除外しないことに留意されたい。加えて、特許請求の範囲内のあらゆる参照番号は、本開示の範囲を限定すると解釈されるべきではない。
【図１】
0006865858.tif 000002
【図２】
0006865858.tif 000003
【図３】
0006865858.tif 000004